(57)【要約】      （修正有）【課題】保管、携帯、及び、使用に便利な折り畳み可能な包装紙を提供する。【解決手段】折り畳み可能な包装紙は、包装紙本体１００を含み、包装紙本体には、易引き裂き折り畳み線１０１が設けられ、易引き裂き折り畳み線上には、包装紙本体を貫通する複数のミシン目が分布され、易引き裂き折り畳み線は、包装紙本体を複数の基本ユニット１１０に分割し、折り畳み可能な包装紙が折り畳まれた状態にあるとき、包装紙本体は、易引き裂き折り畳み線に沿って一つ又は複数の基本ユニットサイズの形状に折り畳まれ、折り畳み可能な包装紙が展開された状態にあるとき、一つ又は複数の基本ユニットは、易引き裂き折り畳み線に沿って包装紙本体から引き裂かれて、包装紙本体から離脱可能に形成される。【選択図】図１ａ
0003225729.tif 000002
【実用新案登録請求の範囲】
【請求項１】
折り畳み可能な包装紙であって、
包装紙本体を含み、
前記包装紙本体には、易引き裂き折り畳み線が設けられ、
前記易引き裂き折り畳み線上には、前記包装紙本体を貫通する複数のミシン目が分布され、
前記易引き裂き折り畳み線は、前記包装紙本体を複数の基本ユニットに分割し、
前記折り畳み可能な包装紙が折り畳まれた状態にあるとき、前記包装紙本体は、前記易引き裂き折り畳み線に沿って一つ又は複数の基本ユニットサイズの形状に折り畳まれ、
前記折り畳み可能な包装紙が展開された状態にあるとき、一つ又は複数の基本ユニットは、前記易引き裂き折り畳み線に沿って前記包装紙本体から引き裂かれて、前記包装紙本体から離脱可能に形成されることを特徴とする、折り畳み可能な包装紙。
【請求項２】
複数の前記基本ユニットは、同じサイズの正方形又は長方形であることを特徴とする、請求項１に記載の折り畳み可能な包装紙。
【請求項３】
前記包装紙本体は、８０ｇ／ｍ2〜１２０ｇ／ｍ2の紙からなることを特徴とする、請求項１に記載の折り畳み可能な包装紙。
【請求項４】
前記ミシン目は、前記易引き裂き折り畳み線上に均一に分布されることを特徴とする、請求項１に記載の折り畳み可能な包装紙。
【請求項５】
前記ミシン目は、円形又は短冊形であることを特徴とする、請求項１に記載の折り畳み可能な包装紙。
【請求項６】
前記易引き裂き折り畳み線の延在方向に沿う前記ミシン目の寸法は、１ｍｍであることを特徴とする、請求項１に記載の折り畳み可能な包装紙。
【請求項７】
１インチ当たりの前記易引き裂き折り畳み線上のミシン目は、１２個であることを特徴とする、請求項１に記載の折り畳み可能な包装紙。
【請求項８】
前記包装紙本体は、複数の基本ユニット行を含み、
各基本ユニット行は、複数の基本ユニットを有することを特徴とする、請求項１に記載の折り畳み可能な包装紙。
【請求項９】
前記包装紙本体の形状は、長方形又は正方形であることを特徴とする、請求項１に記載の折り畳み可能な包装紙。
【請求項１０】
前記折り畳み可能な包装紙が折り畳まれた状態にあるとき、包装紙本体は、一つ又は複数の基本ユニットサイズの形状に折り畳まれていることを特徴とする、請求項１に記載の折り畳み可能な包装紙。
【考案の詳細な説明】
【技術分野】
【０００１】
本考案は、包装用の紙に関し、具体的には、折り畳み可能な包装紙に関するものである。
【背景技術】
【０００２】
現在、商店では、包装紙は、しわが発生しないように、通常、ロール状に保管されたり、商品棚にロール状に陳列されたりしている。購入者が包装紙を購入する場合、しわが発生することを回避するために、通常包装紙を必要な長さにカットして巻回させる。しかしながら、包装紙をロール紙に巻回させて携帯するのは不便である。さらに、ロール紙が押圧されると、ロール紙にはしわが発生し、包装紙を使用できなくなってしまう。
【考案の概要】
【０００３】
本考案の目的は、保管、携帯及び使用しやすい折り畳み可能な包装紙を提供することにある。
【０００４】
本考案に係る態様によれば、折り畳み可能な包装紙であって、包装紙本体を含み、前記包装紙本体には、易引き裂き折り畳み線が設けられ、前記易引き裂き折り畳み線上には、前記包装紙本体を貫通する複数のミシン目が分布され、前記易引き裂き折り畳み線は、前記包装紙本体を複数の基本ユニットに分割し、前記折り畳み可能な包装紙が折り畳まれた状態にあるとき、前記包装紙本体は、前記易引き裂き折り畳み線に沿って一つ又は複数の基本ユニットサイズの形状に折り畳まれ、前記折り畳み可能な包装紙が展開された状態にあるとき、一つ又は複数の基本ユニットは、前記易引き裂き折り畳み線に沿って前記包装紙本体から引き裂かれて、前記包装紙本体から離脱可能に形成される折り畳み可能な包装紙が提供される。
【０００５】
本考案に係る折り畳み可能な包装紙の一実施例によれば、複数の前記基本ユニットは、同じサイズの正方形又は長方形である。
【０００６】
本考案に係る折り畳み可能な包装紙の一実施例によれば、前記包装紙本体は、８０ｇ／ｍ2〜１２０ｇ／ｍ2の紙からなる。
【０００７】
本考案に係る折り畳み可能な包装紙の一実施例によれば、前記ミシン目は、前記易引き裂き折り畳み線上に均一に分布される。
【０００８】
本考案に係る折り畳み可能な包装紙の一実施例によれば、前記ミシン目は、円形又は短冊形である。
【０００９】
本考案に係る折り畳み可能な包装紙の一実施例によれば、前記易引き裂き折り畳み線の延在方向に沿う前記ミシン目の寸法は、１ｍｍである。
【００１０】
本考案に係る折り畳み可能な包装紙の一実施例によれば、１インチ当たりの前記易引き裂き折り畳み線上のミシン目は、１２個である。
【００１１】
本考案に係る折り畳み可能な包装紙の一実施例によれば、前記包装紙本体は、複数の基本ユニット行を含み、各基本ユニット行は、複数の基本ユニットを有する。
【００１２】
本考案に係る折り畳み可能な包装紙の一実施例によれば、前記包装紙本体の形状は、長方形又は正方形である。
【００１３】
本考案に係る折り畳み可能な包装紙の一実施例によれば、前記折り畳み可能な包装紙が折り畳まれた状態にあるとき、包装紙本体は、一つ又は複数の基本ユニットサイズの形状に折り畳まれている。
【考案の効果】
【００１４】
本考案の態様に係る折り畳み可能な包装紙によれば、以下の有益な効果を有する。本考案の態様に係る折り畳み可能な包装紙の包装紙本体に易引き裂き折り畳み線を有するため、折り畳まれた状態にあるとき、本考案の態様に係る折り畳み可能な包装紙は、一つの基本ユニット又は複数の基本ユニットの形状に折り畳み可能に形成され、展開された状態にあるとき、一つ又は複数の基本ユニットは、はさみやペーパーカッタの助けを借りることなく易引き裂き折り畳み線に沿って包装紙本体から引き裂かれて、包装紙本体から離脱可能に形成される。これにより、本考案の態様に係る折り畳み可能な包装紙が保管及び使用しやすくなる。
【図面の簡単な説明】
【００１５】
【図１ａ】本考案に係る折り畳み可能な包装紙の一実施例の概略図である。
【図１ｂ】図１aにおけるＡ部分の部分拡大図である。
【図２】本考案に係る折り畳み可能な包装紙が包装に使用されるときの概略図である。
【図３】本考案に係る折り畳み可能な包装紙が折り紙として使用されるときの概略図である。
【図４】本考案に係る折り畳み可能な包装紙がポスターとして使用されるときの概略図である。
【考案を実施するための形態】
【００１６】
以下では、添付の図面及び実施例を参照しながら本考案をさらに説明する。
【００１７】
本考案の技術的特徴、目的及び効果をより明確に理解するために、添付の図面を参照しながら本考案の具体的な実施形態について詳細に説明する。
【００１８】
以下、本考案に係る折り畳み可能な包装紙の実施例について詳細に説明する。これらの実施例は添付の図面に示されており、終始同一若しくは類似する参照番号は、同一若しくは類似する要素、又は同一若しくは類似する機能を有する要素を表す。
【００１９】
本考案に係る折り畳み可能な包装紙の説明において、「前」、「後」、「上」、「下」、「上端」、「下端」、「上部」、「下部」などの用語によって示される方向又は位置関係は、添付の図面に示される方向又は位置関係に基づくものであり、本考案の説明を容易にし、説明を簡略化するためだけのものである。言及された装置又は要素が特定の方位を有し、特定の方位で構築及び操作されなければならないことを指示又は暗示するものではないことを理解されたい。したがって、本考案を限定するものと理解することができない。さらに、「第１」、「第２」などの用語は説明目的でのみ使用され、相対的な重要性を指示又は暗示するものと理解することができない。
【００２０】
図１Ａ及び図１Ｂは、本考案に係る折り畳み可能な包装紙の一実施例である。当該実施例において、折り畳み可能な包装紙は、包装紙本体１００を含む。包装紙本体１００には、易引き裂き折り畳み線１０１が設けられる。易引き裂き折り畳み線１０１上には、包装紙本体を貫通する複数のミシン目１０２が分布される。易引き裂き折り畳み線１０１は、包装紙本体１００を複数の基本ユニット１１０に分割する。易引き裂き折り畳み線１０１の数及び位置は、包装紙本体１００の面積及び単一の基本ユニット１１０の面積に応じて設計することができる。
【００２１】
易引き裂き折り畳み線１０１のミシン目１０２は、均一に分布されてもよく、不均一に分布されてもよい。均一に分布されることが好ましい。ミシン目は、円形又は短冊形であってもよい。１インチ当たりの易引き裂き折り畳み線上のミシン目は、１２個又は他の数であってもよい。易引き裂き折り畳み線に沿うミシン目の寸法は、１ｍｍ又は他の寸法であってもよい。なお、ミシン目１０２のサイズ及び寸法は、必要に応じて設定することができ、基本ユニット１１０間の信頼できる接続と引き裂きやすさとの両立を保証できることが望ましい。易引き裂き折り畳み線１０１は、引き裂きやすく、はさみやペーパーカッタなどの工具の助けを借りることなく包装紙本体１００を易引き裂き折り畳み線１０１に沿って便利に引き裂くことができる。基本ユニット１１０は、同じサイズの正方形又は長方形である。もちろん、基本ユニット１１０の形状は異なってもよいが、形状が同じであることが好ましい。
【００２２】
折り畳まれた状態にあるとき、包装紙本体１００は、易引き裂き折り畳み線１０１に沿って一つ又は複数の基本ユニット１１０の形状に折り畳まれる。例えば、一つの基本ユニット、二つの基本ユニット、三つの基本ユニット、四つの基本ユニット又は他の数の基本ユニットに折り畳むことができ、保管に便利であることが望ましい。
【００２３】
図２を参照して、展開された状態にあるとき、一つ又は複数の基本ユニット１１０は、易引き裂き折り畳み線に沿って包装紙本体１から引き裂かれて、包装紙本体１００から離脱可能に形成され、引き裂かれた部分の面積は包装される物品２０１、２０２の包装ニーズを満たすことが望ましい。包装紙本体１００は、８０ｇ／ｍ2〜１２０ｇ／ｍ2の紙からなってもよい。もちろん、包装紙本体１００は、他の従来の適用可能な紙からなってもよい。包装紙本体１００における基本ユニット１１０の数は、必要に応じて設定することができ、例えば、４×６、２×４などのようなアレイとすることができる。
【００２４】
図３を参照して、本考案に係る折り畳み可能な包装紙の単一の基本ユニット１１０は、包装又は折り紙として使用することができ、複数の用途を有する。図４を参照して、本考案に係る折り畳み可能な包装紙は、ポスター３００として使用することもできる。
【００２５】
本考案に係る折り畳み可能な包装紙は、より小さな寸法に折り畳むことができるとともに、最大寸法に展開することができる。紙全体には、易引き裂き折り畳み線１０１があり、必要に応じて包装紙本体をいくつかの部分に簡単に引き裂くことができる。包装紙本体の孔及び素材は互いに折り畳まれているため、紙を最大に展開したときに包装紙本体にしわが発生しない。ある程度、包装紙本体は、スタンプが印刷され、切手を分離するための孔で接続されるフルページ切手のようなものである。しかし、スタンプを小さな寸法に折り畳んでから展開すると、折り畳まれた孔のエッジがある程度尖っているため、スタンプのページ全体が平らにならないことがある。切手とは異なり、この種の包装紙は最大に展開したときに鋭いエッジがない。
【００２６】
従来の包装紙は、通常、巻回させてチューブに保管されたり、棚に掛けられたりする必要がある。これは、特に小売店や家庭の場合、保管及び表示領域を占有する可能性がある。しかし、本考案に係る折り畳み可能な包装紙は、保管スペースを節約し、残りの紙をよりきれいにするために折り畳むことができる。易引き裂き折り畳み線が存在するため、ユーザは、後で再利用することが難しいかもしれない不規則な形状を作成せず、残りのすべての基本ユニットは、依然として他の物体の包装又は折り紙として使用することができる。
【００２７】
以上、添付の図面を参照しながら本考案の実施例について説明したが、本考案は上記の具体的な実施形態に限定されるものではない。上記の具体的な実施形態は、制限的ではなく概略的なものにすぎない。本考案の啓発の下で、当業者は、本考案の趣旨及び特許請求の範囲によって保護される範囲から逸脱することなく多くの形態を作ることができ、それらはすべて本考案による保護に含まれる。
【図１ａ】
0003225729.tif 000003
【図１ｂ】
0003225729.tif 000004
【図２】
0003225729.tif 000005
【図３】
0003225729.tif 000006
【図４】
0003225729.tif 000007